(57)【要約】【課題】遊戯中においても遊戯玉又は遊戯コインを用いてタバコ等の景品と簡単に交換することができる遊戯台を提供すること。【解決手段】パチンコ台本体１の前面に設けられ投入口５と、投入口５より投入されたパチンコ玉の個数を計数する計数手段と、計数手段により計数された個数を表示する計数表示板６と、計数表示板６により表示された個数を出力する表示印字機と、パチンコ台本体１に設けられた台表示ランプ１０と、景品交換用ボタン８と、景品交換用ボタン８とを備えたパチンコ台。景品交換用ボタン８を押圧すると、表示印字機が計数表示板６に表示された個数を印字するとともに、台表示ランプ１０が点灯する。【選択図】　　　図１
2004049442.tif 000002
【特許請求の範囲】
【請求項１】
遊戯玉又は遊戯コインを用いて遊戯する遊戯台において、
遊戯台本体の前面に設けられ、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記表示ランプを点灯するための点灯スイッチと、を備えたことを特徴とする遊戯台。
【請求項２】
前記遊戯台本体には出力スイッチが設けられており、前記出力スイッチを操作すると、前記出力手段は前記表示手段に表示された個数を出力する請求項１記載の遊戯台。
【請求項３】
前記出力スイッチと前記点灯スイッチとは共通の兼用スイッチから構成されており、前記兼用スイッチを操作すると、前記出力手段は前記表示手段に表示された個数を出力するとともに、前記表示ランプが点灯する請求項２記載の遊戯台。
【請求項４】
前記遊戯台本体には、更に、カウンタスイッチが設けられており、前記カウンタスイッチを操作すると、前記表示ランプが点灯することなく、前記出力手段は前記表示手段に表示された個数を出力する請求項３記載の遊戯台。
【請求項５】
遊戯玉又は遊戯コインを用いて遊戯する遊戯台において、
遊戯台本体の側部に補助カウンタ装置を付設し、前記補助カウンタ装置に、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記表示ランプを点灯するための点灯スイッチと、を設けたことを特徴とする遊戯台。
【請求項６】
前記遊戯台はパチンコ台又はスロット台である請求項１〜５のいずれかに記載の遊戯台。
【発明の詳細な説明】
【発明の属する技術分野】
【０００１】
本発明は、遊戯玉又は遊戯コインを用いて遊戯する遊戯台に関する。
【従来の技術】
【０００２】
身近なレジャーとしてパチンコ、スロットが広まっている。パチンコは、遊戯台としてのパチンコ台でもって遊戯玉を用いて遊戯し、またスロットは、遊戯台としてのスロット台でもって遊戯コインを用いて遊戯する。このような遊戯台を用いた遊戯では、遊戯玉又は遊戯コインの個数を計数する計数手段、例えば計数カウンタは要所要所に配置され、遊戯終了後に遊戯玉又は遊戯コインを計数して景品と交換するようになる。
【発明が解決しようとする課題】
【０００３】
ところが、遊戯客は、遊戯を続けながら遊戯玉又は遊戯コインを用いてタバコ等の景品と交換したいときがあるが、計数カウンタが要所要所に配置されている現状では、遊戯を一旦休止してタバコ等の景品と交換する必要がある。即ち、タバコ等との交換を希望する遊戯客は、遊戯を止めて自分の遊戯玉又は遊戯コインを計数カウンタまで持って行き、景品の交換に必要な個数の遊戯球又は遊戯コインを計数カウンタで計数し、その個数を記録した出力レシート又は出力カードを景品交換カウンタまで持っていき、景品交換カウンタにてタバコ等の景品と交換している。それ故に、タバコ等の景品に交換するのに手間がかかり、煩雑であるとともに、遊戯を一旦休止しなければならず、遊戯中の楽しさが気分的に半減してしまう。遊戯中に、遊戯玉又は遊戯コインを用いて飲み物と交換するとき等も同様である。
【０００４】
本発明の目的は、遊戯中においても遊戯玉又は遊戯コインを用いてタバコ等の景品と簡単に交換することができる遊戯台を提供することである。
【課題を解決するための手段】
【０００５】
本発明は、遊戯玉又は遊戯コインを用いて遊戯する遊戯台において、　遊戯台本体の前面に設けられ、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記表示ランプを点灯するための点灯スイッチと、を備えたことを特徴とする。
【０００６】
本発明に従えば、遊戯本体の前面に投入口が設けられ、遊戯玉又は遊戯コインはこの投入口から投入される。投入口から投入された遊戯玉又は遊戯コインは計数手段、例えば計数カウンタにより計数され、計数された個数が表示手段に表示され、この表示内容を見ることによって、投入した遊戯玉又は遊戯コインの個数を知ることができる。この表示手段に表示された個数は出力手段により出力され、出力物、例えば出力レシート、出力カードに記録される。遊戯台本体には、また、表示ランプ及び点灯スイッチが設けられ、点灯スイッチを用いて表示ランプを点灯させることができる。投入口、計数手段、出力手段等は各遊戯台に設けられており、遊戯客は遊戯をしながら遊戯玉又は遊戯コインを投入口から投入することによって、例えばタバコ等の景品の交換に必要な個数を計数し、この個数を出力することができる。そして、点灯スイッチを操作して表示ランプを点灯すると、店員は表示ランプの点灯によって、遊戯客が景品交換を希望していることを知ることができる。この店員は、遊戯客からの出力物を受け取り、景品交換カウンタにて景品と交換して遊戯客にわたすことにより、遊戯客は遊戯を休止することなく景品と交換することができ、遊戯客は景品交換の際にも中断することなく、遊戯を充分に楽しむことができる。
【０００７】
また、本発明では、前記遊戯台本体には出力スイッチが設けられており、前記出力スイッチを操作すると、前記出力手段は前記表示手段に表示された個数を出力する。
【０００８】
本発明に従えば、遊戯台本体に設けられた出力スイッチを操作することによって、表示手段に表示された個数を出力することができる。従って、遊戯玉又は遊戯コインを投入口を通して投入して計数手段が計数し、表示手段が景品交換に必要な個数を表示した時点で出力スイッチを操作すると、その個数の内容が出力され、その出力物を用いて希望する景品と交換することができる。
【０００９】
また、本発明では、前記出力スイッチと前記点灯スイッチとは共通の兼用スイッチから構成されており、前記兼用スイッチを操作すると、前記出力手段は前記表示手段に表示された個数を出力するとともに、前記表示ランプが点灯する。
本発明では、出力手段用と表示手段用の兼用スイッチが設けられており、この兼用スイッチを操作すると、表示手段に表示された個数が出力手段により出力されるとともに、表示ランプが点灯される。従って、兼用ランプを操作するという簡単な操作でもって、遊戯玉又は遊戯コインの個数を出力するとともに、表示ランプを点灯して店員を呼ぶことができる。
【００１０】
また、本発明では、前記遊戯台本体には、更に、カウンタスイッチが設けられており、前記カウンタスイッチを操作すると、前記表示ランプが点灯することなく、前記出力手段は前記表示手段に表示された個数を出力する。
【００１１】
本発明に従えば、遊戯台本体には、点灯スイッチとは別個に、カウンタスイッチが設けられている。このカウンタスイッチは、投入口から投入された遊戯球又は遊戯コインの個数を出力するときに操作され、このカウンタスイッチを操作すると、表示ランプが点灯されることなく、出力手段は表示手段に表示された個数を出力する。従って、遊戯客は、遊戯をしながら最終的に交換しようとする個数を予め計数して出力することができ、このように出力することによって、遊戯の限度を知りながら遊戯を楽しむことができる。
【００１２】
また、本発明は、遊戯玉又は遊戯コインを用いて遊戯する遊戯台において、
遊戯台本体の側部に補助カウンタ装置を付設し、前記補助カウンタ装置に、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記表示ランプを点灯するための点灯スイッチと、を設けたことを特徴とする。
【００１３】
本発明に従えば、遊戯台本体の側部に補助カウンタ装置が付設され、この補助カウンタ装置に上述した投入口、計数手段、表示手段、出力手段、表示ランプ及び点灯スイッチが設けられているので、遊戯台本体に変更を加えることなく、補助カウンタ装置を設けることによっても上述したと同様の作用効果が達成される。
【００１４】
また、本発明では、前記遊戯台はパチンコ台又はスロット台である。
本発明に従えば、パチンコ台、スロット台に好都合に適用することができ、このような遊戯台において、遊戯客は遊戯を中止することなく景品交換を行うことができる。
【発明の実施の形態】
【００１５】
以下、添付図面を参照して、本発明に従う遊戯台の実施形態について説明する。
第１の実施形態
図１〜図３を参照して、第１の実施形態の遊戯台について説明する。図１は、第１の実施形態の遊戯台を示す正面図であり、図２は、図１の遊戯台の前カバー体を開放した状態を示す簡略斜視図であり、図３は、図１の遊戯台において、遊戯玉を計数する計数手段及びその近傍を示す部分拡大断面図である。
図１及び図２において、この第１の実施形態では遊戯台としてのパチンコ台に適用されており、図示のパチンコ台は、遊戯台本体としてのパチンコ台本体１を備え、このパチンコ台本体１の前面には、従来のパチンコ台と同様に、遊戯玉が貯まる上皿２及び下皿３が設けられているとともに、遊戯する際に操作する遊戯ハンドル４が設けられている。パチンコ台本体１の前面には、更に、投入口５と、計数表示手段を構成する計数表示板６と、出力物としてのレシートを取り出すためのレシート取出し口７と、兼用スイッチを構成するレシート印字発行ボタン、即ち景品交換用ボタン８と、パチンコ台本体１を表示するための表示ランプ１０とが設けられており、これら投入口５、計数表示板６等は、例えば、従来の遊戯台用灰皿を省略して設けることができる。加えて、このパチンコ台本体１の前カバー体３１の裏側には、計数手段としての計数機１８及び出力手段としての表示印字機１９が設けられている。
【００１６】
このパチンコ台では、投入口５は漏斗状の投入ホッパから構成され、計数しようとする遊戯玉、例えばパチンコ玉３２が投入ホッパを通して投入される。投入口５を通して投入されたパチンコ玉３２は、前カバー体３１の裏側に設けられた計数通路１７を通して流れ、計数機１８は計数通路１７を通して流れるパチンコ玉３２を計数する。計数表示板６は計数機１８により計数したパチンコ玉３２の個数を表示し、表示印字機１９は計数表示板６に表示された個数をレシート等の出力物に印字出力する。レシート取出し口７はレシートを取り出すための取出し口であり、表示印字機１９により印字されたレシートがこの取出し口７を通してパチンコ台本体１の前面側に排出される。景品交換用ボタン８は、パチンコ玉３２を景品と交換するときのスイッチであり、このボタン８を押圧操作すると、計数表示板６に表示された個数が表示印字機１９により印字されるとともに、台表示ランプ１０が点灯する。尚、この形態では、兼用ランプとして景品交換用ボタン８を設けているが、兼用スイッチに代えて、計数表示板６に表示された個数を印字するための出力スイッチと、台表示ランプ１０を点灯させるための点灯スイッチとを別個に設け、出力スイッチを操作して出力するようにし、点灯スイッチを操作して台表示ランプ１０を点灯するようにしてもよい。
【００１７】
このパチンコ台本体１には、更に、カウンタスイッチを構成するカウンタ用ボタン９が設けられている。カウンタ用ボタン９は、計数表示板６に表示された個数を出力するためのボタンであり、このボタン９を押圧操作すると、計数表示板６に表示された個数が表示印字機１９により印字されて出力される。尚、このカウンタ用ボタン９を押圧したときには、台表示ランプ１０が点灯することはない。
次に、このパチンコ台の作用効果について説明する。パチンコ玉３２（遊戯玉）を景品と交換したい場合、図１及び図３に示すように、遊戯客は、パチンコ玉３２を玉投入口５から投入する。投入口５に投入されたパチンコ玉３２は、計数通路１７を通して玉配管路２０に流れ、計数通路１７を通して流れる間に、計数機１８はそこを流れるパチンコ玉３２の個数を計数し、計数機１８が計数した個数が計数表示板６に表示される。従って、遊戯客は、計数表示板６に表示された個数を確認しながらパチンコ玉３２を投入することによって、所定必要数の個数のパチンコ玉３２を投入口５を通して投入することができる。計数通路１７を通して玉配管路２０に流れたパチンコ玉３２は、パチンコ玉循環機（図示せず）に流れ、この循環機を通して再び各パチンコ台に分配される。
【００１８】
このようにして計数機１８が景品、例えばタバコに交換するに必要な個数を計数すると、遊戯者は景品交換用ボタン８を押圧操作する。かくすると、表示印字機１９が計数表示板６に表示された個数をレシートに出力する（このように出力すると、計数表示板６の表示個数はリセットされる）とともに、台表示ランプ１０が点灯し、パチンコ店の店員は台表示ランプ１０が点灯することによって、そのパチンコ台で遊戯している遊戯客が景品の交換を希望していることを知ることができる。このレシートには、不正を防止のために、例えばバーコードを付して各パチンコ店毎に暗唱番号等を入れるようにすることができる。尚、景品交換用ボタン８を再度押圧すると、台表示ランプ１０が消灯する。
【００１９】
このように投入口５からパチンコ玉３２を所定数投入した後景品交換用ボタン８を押圧することによって、台表示ランプ１０が点灯して店員をそのパチンコ台まで呼ぶことができ、従って、出力されたレシートを店員に渡すことにより、遊戯（パチンコ）を継続しながら景品と交換することができ、遊戯客は景品交換のために中断することなく遊戯を充分に楽しむことができる。
【００２０】
また、パチンコ台の様子を見ながらパチンコ玉３２を交換する場合、遊戯客は、遊戯を継続しながらパチンコ玉３２を玉投入口５から少しずつ投入すればよい。投入口５に投入されたパチンコ玉３２は、上述したと同様に、計数通路１７を通して玉配管路２０に流れ、計数通路１７を通して流れる間に、計数機１８はパチンコ玉３２の個数を計数し、その個数が計数表示板６に表示される。
このようにして計数機１８が交換を希望する個数を計数すると、遊戯者はカウンタ用ボタン９を押圧操作する。かくすると、表示印字機１９が計数表示板６に表示された個数をレシートに出力し、遊戯の終了後にこのレシートを景品カウンタに持って行き、所望の景品と交換するができる。このようなカウンタ用ボタン９を設けることによって、出玉をある程度確保しながら遊戯をすることができるので、楽しみながら遊戯をすることができる。尚、このときには、台表示ランプ１０は点灯することがなく、店員がパチンコ台のところに来ることもなく、店員を煩わすことがない。
第２の実施形態
【００２１】
図４〜図６を参照して、第２の実施形態の遊戯台について説明する。図４は、第２の実施形態の遊戯台を示す正面図であり、図５は、図４の遊戯台の前カバー体を開放した状態を示す簡略斜視図であり、図６は、図４の遊戯台において、遊戯コインを計数する計数手段及びその近傍を示す部分拡大断面図である。
図４及び図５において、この第２の実施形態では遊戯台としてのスロット台に適用されており、図示のスロット台は、遊戯台本体としてのスロット台本体１を備え、このスロット台本体１の前面には、従来のスロット台と同様に、その上部に回転リール１１が設けられ、その下部に遊戯コインが貯まるコイン皿１５が設けられ、その中間部にコイン投入口１２、リール回転レバー１３及びリール停止ボタン１４が設けられている。このスロット台本体１の前面には、更に、交換用コイン投入口１６と、計数表示手段を構成する計数表示板６と、レシート取出し口７と、景品交換用ボタン８と台表示ランプ１０が設けられ、またスロット台本体１の前カバー体３１の裏側には、計数機１８及び表示印字機１９が設けられている。
【００２２】
このスロット台では、交換用コイン投入口１６を通してスロットコイン３３が投入され、交換用コイン投入口１６を通して投入されたスロットコイン３３は、パチンコ台の場合と同様に、計数通路１７を通して流れ、計数機１８は計数通路１７を通して流れるスロットコイン３３の枚数を計数する。計数表示板６は計数機１８により計数したスロットコイン３３の枚数を表示し、表示印字機１９は計数表示板６に表示された個数をレシートに印字出力し、かく印字されたレシートが取出し口７を通してスロット台本体１の前面側に排出される。景品交換用ボタン８、カウンタ用ボタン９及び台表示ランプ１０は、パチンコ台のものと実質上同一のもので、同一の機能を有する。
【００２３】
このスロット台において、スロットコインを景品と交換したい場合には、上述したと同様に、スロットコイン３３を交換用コイン投入口１６から投入した後、景品交換用ボタン８を押圧操作すればよい。交換用コイン投入口１６からスロットコイン３３を投入すると、投入されたスロットコイン３３は、計数通路１７を通してコイン払いボックス２２（スロット台本体１内に装備されている）に流れて貯えられ、計数通路１７を通して流れる間に、計数機１８はそこを流れるスロットコイン３３の個数を計数し、その計数個数が計数表示板６に表示される。従って、遊戯客は、計数表示板６に表示された個数を確認しながらスロットコイン３３を投入することによって、所定必要数の個数のスロットコイン３３を交換用コイン投入口１６を通して投入することができる。その後、景品交換用ボタン８を押圧操作すると、表示印字機１９が計数表示板６に表示された個数をレシートに出力するとともに、台表示ランプ１０が点灯し、点灯によりパチンコ店の店員に景品交換を希望する旨を伝えることができ、出力されたレシートを店員に渡すことにより、遊戯（スロット）を継続しながら景品と交換することができる。
また、スロット台の様子を見ながらスロットコイン３３を交換する場合、遊戯客は、遊戯を継続しながらスロットコイン３３を交換用コイン投入口１６から少しずつ投入すればよい。交換用コイン投入口１６から投入されたスロットコイン３３は、上述したと同様に、計数通路１７を通してコイン払いボックス２２に流れ、計数通路１７を通して流れる間に、計数機１８はスロットコイン３３の枚数を計数し、その個数が計数表示板６に表示される。
【００２４】
このようにして計数機１８が交換を希望する枚数を計数すると、遊戯者はカウンタ用ボタン９を押圧操作する。かくすると、表示印字機１９が計数表示板６に表示された個数をレシートに出力し、遊戯の終了後にこのレシートを景品カウンタに持って行き、所望の景品と交換するができる。尚、このときにも、台表示ランプ１０は点灯することがなく、店員を煩わすことがない。
【００２５】
このようなパチンコ台（又はスロット台）の設置は、図７に示すように、設置設備体４２の両側に所定方向に並べて設置される。このように設置する場合、パチンコ台（又はスロット台）の各列に対応して景品交換用のコース表示ランプ２１を設けるのが好ましい。このコース表示ランプ２１は、この列に設置されたパチンコ台（又はスロット台）の台表示ランプ１０と電気的に接続され、特定の列のいずれかのパチンコ台（又はスロット台）の台表示ランプ１０が点灯すると、この特定の列に対応するコース表示ランプ２１が点灯する。このようなコース表示ランプ２１の点灯によって、店員はどの列のパチンコ台（又はスロット台）の台表示ランプ１０が点灯しているかを容易に知ることができ、遊戯客の景品交換の要望に迅速に対応することができる。このコース表示ランプ２１は適宜の形態のランプでよく、例えばコーヒーカップ形状のランプを用いることができ、景品交換と分かり易い色、例えば青色のものを用いることができる。
第３の実施形態
【００２６】
次に、図８を参照して、第３の実施形態の遊戯台を説明する。図８は、第３の実施形態の遊戯台を示す正面図である。
図８において、この第３の実施形態では遊戯台としてのパチンコ台に適用されており、このパチンコ台本体１の前面には、玉投入口５と、計数表示板６と、レシート取出し口７と、景品交換用ボタン８と、カウンタ用ボタン９と、台表示ランプ１０が設けられている。この第３の実施形態では、玉投入口５、レシート取出し口７及び台表示ランプ１０は、第１の実施形態と同様の部位に設けられているが、景品交換用ボタン８、カウンタ用ボタン９及び計数表示板６が、パチンコ玉を収容する上皿２の前面に設けられており、このように設けることによって、遊戯客は、遊戯を継続しながら計数表示板６の内容を容易に見ることができ、また景品交換用ボタン８及びカウンタ用ボタン９を容易に操作することができる。これらボタン８，９の誤操作を防止するために、上皿２の前面の中央部に計数表示板６を配置し、その片側（例えば左側）に景品交換用ボタン８を配置し、その他側（例えば右側）にカウンタ用ボタン９を配置するのが望ましい。第３の実施形態の遊戯台（パチンコ台）のその他の構成は、上述した第１の実施形態と実質上同一である。
この第３の実施形態においては、その基本的構成が上述した第１の実施形態と実質上同一であるので、第１の実施形態と同様の作用効果が達成される。
第４の実施形態
【００２７】
次に、図９を参照して、第４の実施形態の遊戯台を説明する。図９は、第４の実施形態の遊戯台を示す正面図である。
図９において、この第４の実施形態でも遊戯台としてのパチンコ台又はスロット台（図示せず）に適用されており、各パチンコ台又はスロット台本体１の側部に補助カウンタ装置３６が付設され、この補助カウンタ装置３６の前面に、玉投入口５と、計数表示板６と、レシート取出し口７と、景品交換用ボタン８と、カウンタ用ボタン９と、台表示ランプ１０が設けられ、更に、この補助カウンタ装置３６の内部に、図示していないが、計数機及び表示印字機が設けられている。このように玉投入口５、計数表示板６及び景品交換用ボタン８等を補助カウンタ装置３６に設けることによって、パチンコ台又はスロット台本体１に変更、修正等を施すことなく、遊戯を継続しながらパチンコ玉又はスロットコインを交換するための構成を設けることができる。
【００２８】
以上、本発明に従う遊戯台の各種実施形態について説明したが、本発明はかかる実施形態に限定されるものではなく、本発明の範囲を逸脱することなく種々の変形、修正が可能である。
上述した実施形態では、景品交換用ボタン８及びカウンタ用ボタン９の双方を設けているが、必ずしも双方のボタン８．９を設ける必要はなく、景品交換用ボタン８のみを設けるようにしてもよい。
【発明の効果】
【００２９】
本発明の請求項１の遊戯台によれば、投入口、計数手段、出力手段等は各遊戯台に設けられており、遊戯客は遊戯をしながら遊戯玉又は遊戯コインを投入口から投入することによって、例えばタバコ等の景品の交換に必要な個数を計数し、この個数を出力することができる。そして、点灯スイッチを操作して表示ランプを点灯すると、店員は表示ランプの点灯によって、遊戯客が景品交換を希望していることを知ることができ、この店員は、遊戯客からの出力物を受け取り、景品交換カウンタにて景品と交換して遊戯客にわたすことにより、遊戯客は遊戯を休止することなく景品と交換することができる。
【００３０】
また、本発明の請求項２の遊戯台によれば、遊戯台本体に設けられた出力スイッチを操作することによって、表示手段に表示された個数を出力することができ、その出力物を用いて希望する景品と交換することができる。
【００３１】
また、本発明の請求項３の遊戯台によれば、出力手段用と表示手段用の兼用スイッチが設けられており、この兼用スイッチを操作すると、表示手段に表示された個数が出力手段により出力されるとともに、表示ランプが点灯される。従って、兼用ランプを操作するという簡単な操作でもって、遊戯玉又は遊戯コインの個数を出力するとともに、表示ランプを点灯して店員を呼ぶことができる。
【００３２】
また、本発明の請求項４の遊戯台によれば、点灯スイッチとは別個のカウンタスイッチを操作すると、表示ランプが点灯されることなく、出力手段は表示手段に表示された個数を出力する。従って、遊戯客は、遊戯をしながら最終的に交換しようとする個数を予め計数して出力することができ、このように出力することによって、遊戯の限度を知りながら遊戯を楽しむことができる。
【００３３】
また、本発明の請求項５の遊戯台によれば、遊戯台本体の側部に補助カウンタ装置が付設され、この補助カウンタ装置に上述した投入口、計数手段、表示手段、出力手段、表示ランプ及び点灯スイッチが設けられているので、遊戯台本体に変更を加えることなく、上述したと同様の作用効果が達成される。
【００３４】
また、本発明の請求項６の遊戯台によれば、パチンコ台、スロット台に好都合に適用することができる。
【図面の簡単な説明】
【図１】本発明に従う遊戯台の第１の実施形態を示す正面図である。
【図２】図１の遊戯台の前カバー体を開放した状態を示す簡略斜視図である。
【図３】図１の遊戯台において、遊戯玉を計数する計数手段及びその近傍を示す部分拡大断面図である。
【図４】本発明に従う遊戯台の第２の実施形態を示す正面図である。
【図５】図４の遊戯台の前カバー体を開放した状態を示す簡略斜視図である。
【図６】図４の遊戯台において、遊戯コインを計数する計数手段及びその近傍を示す部分拡大断面図である。
【図７】複数台の遊戯台を設置した例を示す簡略斜視図である。
【図８】本発明に従う遊戯台の第３の実施形態を示す正面図である。
【図９】本発明に従う遊戯台の第４の実施形態を示す正面図である。
【符号の説明】
１　パチンコ台本体（スロット台本体）
５　玉投入口
６　計数表示板
７　レシート取出し口
８　景品交換用ボタン
９　カウンタ用ボタン
１０　台表示ランプ
１６　コイン投入口
１８　計数機
１９　表示印字機
２１　コース表示ランプ
３２　パチンコ玉
３３　スロットコイン
３６　補助カウンタ装置
【図１】
2004049442.tif 000003
【図２】
2004049442.tif 000004
【図３】
2004049442.tif 000005
【図４】
2004049442.tif 000006
【図５】
2004049442.tif 000007
【図６】
2004049442.tif 000008
【図７】
2004049442.tif 000009
【図８】
2004049442.tif 000010
【図９】
2004049442.tif 000011
【手続補正書】
【提出日】平成14年9月20日(2002.9.20)
【手続補正１】
【補正対象書類名】明細書
【補正対象項目名】特許請求の範囲
【補正方法】変更
【補正の内容】
【特許請求の範囲】
【請求項１】
遊戯玉又は遊戯コインを用いて遊戯する遊戯台において、遊戯台本体の前面に設けられ、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記表示ランプを点灯するための点灯スイッチと、を備えたことを特徴とする遊戯台。
【請求項２】
前記遊戯台本体には出力スイッチが設けられており、前記出力スイッチを操作すると、前記出力手段は前記表示手段に表示された個数を出力する請求項１記載の遊戯台。
【請求項３】
前記出力スイッチと前記点灯スイッチとは共通の兼用スイッチから構成されており、前記兼用スイッチを操作すると、前記出力手段は前記表示手段に表示された個数を出力するとともに、前記表示ランプが点灯する請求項２記載の遊戯台。
【請求項４】
前記遊戯台本体には、更に、カウンタスイッチが設けられており、前記カウンタスイッチを操作すると、前記表示ランプが点灯することなく、前記出力手段は前記表示手段に表示された個数を出力する請求項３記載の遊戯台。
【請求項５】前記遊戯台はパチンコ台又はスロット台である請求項１〜４のいずれかに記載の遊戯台。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３４
【補正方法】変更
【補正の内容】
【００３４】
また、本発明の請求項５の遊戯台によれば、パチンコ台、スロット台に好都合に適用することができる。




【手続補正書】
【提出日】平成14年12月10日(2002.12.10)
【手続補正１】
【補正対象書類名】明細書
【補正対象項目名】全文
【補正方法】変更
【補正の内容】
【発明の詳細な説明】
【特許請求の範囲】
【請求項１】遊戯玉又は遊戯コインを用いて遊戯する遊戯台において、
遊戯台本体の前面に設けられ、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記遊戯台の前面に設けられた景品交換用ボタンと、前記遊戯台の前面に設けられたカウンタ用ボタンと、を備え、前記景品交換用ボタンを操作すると前記出力手段は前記表示手段に表示された個数を出力するとともに前記表示ランプを点灯させ、一方前記カウンタ用ボタンを操作すると、前記表示ランプが点灯することなく前記出力手段は前記表示手段に表示された個数を出力することを特徴とする遊戯台。
【請求項２】前記遊戯台はパチンコ台又はスロット台である請求項１に記載の遊戯台。
【発明の詳細な説明】
【０００１】
【発明の属する技術分野】
本発明は、遊戯玉又は遊戯コインを用いて遊戯する遊戯台に関する。
【０００２】
【従来の技術】
身近なレジャーとしてパチンコ、スロットが広まっている。パチンコは、遊戯台としてのパチンコ台でもって遊戯玉を用いて遊戯し、またスロットは、遊戯台としてのスロット台でもって遊戯台を用いて遊戯する。このような遊戯台を用いた遊戯では、遊戯玉又は遊戯コインの個数を計数する計数手段、例えば計数カウンタは要所要所に配置され、遊戯終了後に遊戯玉又は遊戯コインを計数して景品と交換するようになる。
【０００３】
【発明が解決しようとする課題】
ところが、遊戯客は、遊戯を続けながら遊戯玉又は遊戯コインを用いてタバコ等の景品と交換したいときがあるが、計数カウンタが要所要所に配置されている現状では、遊戯を一旦休止してタバコ等の景品と交換する必要がある。即ち、タバコ等との交換を希望する遊戯客は、遊戯を止めて自分の遊戯玉又は遊戯コインを計数カウンタまで持っていき、景品の交換に必要な個数の遊戯玉又は遊戯コインを計数カウンタで計数し、その個数を記録した出力レシート又は出力カードを景品交換カウンタまで持っていき、景品交換カウンタにてタバコ等の景品と交換している。それ故に、タバコ等の景品に交換するのに手間がかかり、煩雑であるとともに、遊戯を一旦休止しなければならず、遊戯中の楽しさが気分的に半減してしまう。遊戯中に、遊戯玉又は遊戯コインを用いて飲み物と交換するとき等も同様である。
【０００４】
本発明の目的は、遊戯中においても遊戯玉又は遊戯コインを用いてタバコ等の景品と簡単に交換することができる遊戯台を提供することである。
【０００５】
【課題を解決するための手段】
本発明は、遊戯玉又は遊戯コインを用いて遊戯する遊戯台において、遊戯台本体の前面に設けられ、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力する出力手段と、前記遊戯台本体に設けられた表示ランプと、前記遊戯台の前面に設けられた景品交換用ボタンと、前記遊戯台の前面に設けられたカウンタ用ボタンと、を備え、前記景品交換用ボタンを操作すると前記出力手段は前記表示手段に表示された個数を出力するとともに前記表示ランプを点灯させ、一方前記カウンタ用ボタンを操作すると、前記表示ランプが点灯することなく前記出力手段は前記表示手段に表示された個数を出力することを特徴とする遊戯台。
【０００６】
本発明に従えば、遊戯本体の前面に投入口が設けられ、遊戯玉又は遊戯コインはこの投入口から投入される。投入口から投入された遊戯玉又は遊戯コインは計数手段、例えば計数カウンタにより計数され、計数された個数が表示手段に表示され、この表示内容を見ることによって、投入した遊戯玉又は遊戯コインの個数を知ることができる。この表示手段に表示された個数は出力手段により出力され、出力物、例えば出力レシート、出力カードに記録される。
【０００７】
遊戯台本体の前面には、景品交換用ボタンと、カウンタ用ボタンが設けられている。また、投入口、計数手段、出力手段等は各遊戯台に設けられているので、遊戯客は遊戯をしながら遊戯玉又は遊戯コインを投入口から投入することによって、個数を計数する。そして、例えばタバコ等の景品を交換したいときには、景品交換用ボタンを操作すると前記出力手段は前記表示手段に表示された個数を出力するとともに前記表示ランプを点灯させる。表示ランプが点灯すると、店員は表示ランプの点灯によって、遊戯客が景品交換を希望していることを知ることができる。この店員は、遊戯客からの出力物を受け取り、景品交換カウンタにて景品と交換して遊戯客にわたすことにより、遊戯客は遊戯を休止することなく景品と交換することができ、遊戯客は景品交換の際にも中断することなく、遊戯を充分に楽しむことができる。
【０００８】
前記カウンタ用ボタンを操作すると、前記表示ランプが点灯することなく前記出力手段は前記表示手段に表示された個数を出力するので、遊戯客は、遊戯をしながら最終的に交換しようとする個数を予め計数して出力することができ、このように出力することによって、遊戯の限度を知りながら遊戯を楽しむことができる。
【０００９】
また、本発明では、前記遊戯台はパチンコ台又はスロット台である。
本発明に従えば、パチンコ台、スロット台に好都合に適用することができ、このような遊戯台において、遊戯客は遊戯を中止することなく景品交換を行うことができる。
【００１０】
【発明の実施の形態】
以下、添付図面を参照して、本発明に従う遊戯台の実施形態について説明する。
第１の実施形態
図１〜図３を参照して、第１の実施形態の遊戯台について説明する。図１は、第１の実施形態の遊戯台を示す正面図であり、図２は、図１の遊戯台の前カバー体を開放した状態を示す簡略斜視図であり、図３は、図１の遊戯台において、遊戯玉を計数する計数手段及びその近傍を示す部分拡大断面図である。
図１及び図２において、この第１の実施形態では遊戯台としてのパチンコ台に適用されており、図示のパチンコ台は、遊戯台本体としてのパチンコ台本体１を備え、このパチンコ台本体１の前面には、従来のパチンコ台と同様に、遊戯玉が貯まる上皿２及び下皿３が設けられているとともに、遊戯する際に操作する遊戯ハンドル４が設けられている。パチンコ台本体１の前面には、更に、投入口５と、計数表示手段を構成する計数表示板６と、出力物としてのレシートを取り出すためのレシート取出し口７と、兼用スイッチを構成するレシート印字発行ボタン、即ち景品交換用ボタン８と、パチンコ台本体１を表示するための表示ランプ１０とが設けられており、これら投入口５、計数表示板６等は、例えば、従来の遊戯台用灰皿を省略して設けることができる。加えて、このパチンコ台本体１の前カバー体３１の裏側には、計数手段としての計数機１８、及び出力手段としての表示印字機１９が設けられている。
【００１１】
このパチンコ台では、投入口５は漏斗状の投入ホッパから構成され、計数しようとする遊戯玉、例えばパチンコ玉３２が投入ホッパを通して投入される。投入口５を通して投入されたパチンコ玉３２は、前カバー体３１の裏側に設けられた計数通路１７を通して流れ、計数機１８は計数通路１７を通して流れるパチンコ玉３２を計数する。計数表示板６は計数機１８により計数したパチンコ玉３２の個数を表示し、表示印字機１９は計数表示板６に表示された個数をレシート等の出力物に印字出力する。レシート取出し口７はレシートを取り出すための取出し口であり、表示印字機１９により印字されたレシートがこの取出し口７を通してパチンコ台本体１の前面側に排出される。景品交換用ボタン８は、パチンコ玉３２を景品と交換するときのスイッチであり、このボタン８を押圧操作すると、計数表示板６に表示された個数が表示印字機１９により印字されるとともに、台表示ランプ１０が点灯する。尚、この形態では、兼用ランプとして景品交換用ボタン８を設けているが、兼用スイッチに代えて、計数表示板６に表示された個数を印字するための出力スイッチと、台表示ランプ１０を点灯させるための点灯スイッチとを別個に設け、出力スイッチを操作して出力するようにし、点灯スイッチを操作して台表示ランプ１０を点灯するようにしてもよい。
【００１２】
このパチンコ台本体１には、更に、カウンタスイッチを構成するカウンタ用ボタン９が設けられている。カウンタ用ボタン９は、計数表示板６に表示された個数を出力するためのボタンであり、このボタン９を押圧操作すると、計数表示板６に表示された個数が表示印字機１９により印字されて出力される。尚、このカウンタ用ボタン９を押圧したときには、台表示ランプ１０が点灯することはない。
【００１３】
次に、このパチンコ台の作用効果について説明する。パチンコ玉３２（遊戯玉）を景品と交換したい場合、図１及び図３に示すように、遊戯客は、パチンコ玉３２を玉投入口５から投入する。投入口５に投入されたパチンコ玉３２は、計数通路１７を通して玉配管路２０に流れ、計数通路１７を通して流れる間に、計数機１８はそこを流れるパチンコ玉３２の個数を計数し、計数機１８が計数した個数が計数表示板６に表示される。従って、遊戯客は、計数表示板６に表示された個数を確認しながらパチンコ玉３２を投入することによって、所定必要数の個数のパチンコ玉３２を投入口５を通して投入することができる。計数通路１７を通して玉配管路２０に流れたパチンコ玉３２は、パチンコ玉循環機（図示せず）に流れ、この循環機を通して再び各パチンコ台に分配される。
【００１４】
このようにして計数機１８が景品、例えばタバコに交換するに必要な個数を計数すると、遊戯者は景品交換用ボタン８を押圧操作する。かくすると、表示印字機１９が計数表示板６に表示された個数をレシートに出力する（このように出力すると、計数表示板６の表示個数はリセットされる）とともに、台表示ランプ１０が点灯し、パチンコ店の店員は台表示ランプ１０が点灯することによって、そのパチンコ台で遊戯している遊戯客が景品の交換を希望していることを知ることができる。このレシートには、不正の防止のために、例えばバーコードを付して各パチンコ店毎に暗証番号等を入れるようにすることができる。尚、景品交換用ボタン８を再度押圧すると、台表示ランプ１０が消灯する。
【００１５】
このように投入口５からパチンコ玉３２を所定数投入した後景品交換用ボタン８を押圧することによって、台表示ランプ１０が点灯して店員をそのパチンコ台まで呼ぶことができる。従って、出力されたレシートを店員に渡すことにより、遊戯（パチンコ）を継続しながら景品と交換することができ、遊戯客は景品交換のために中断することなく遊戯を充分に楽しむことができる。
【００１６】
また、パチンコ台の様子を見ながらパチンコ玉３２を交換する場合、遊戯客は、遊戯を継続しながらパチンコ玉３２を玉投入口５から少しずつ投入すればよい。投入口５に投入されたパチンコ玉３２は、上述したと同様に、計数通路１７を通して玉配管路２０に流れ、計数通路１７を通して流れる間に、計数機１８はパチンコ玉３２の個数を計数し、その個数が計数表示板６に表示される。
【００１７】
このようにして計数機１８が交換を希望する個数を計数すると、遊戯者はカウンタ用ボタン９を押圧操作する。かくすると、表示印字機１９が計数表示板６に表示された個数をレシートに出力し、遊戯の終了後にこのレシートを景品カウンタに持って行き、所望の景品と交換することができる。このようなカウンタ用ボタン９を設けることによって、出玉をある程度確保しながら遊戯をすることができるので、楽しみながら遊戯をすることができる。尚、このときには、台表示ランプ１０は点灯することがなく、店員がパチンコ台のところに来ることもなく、店員を煩わすことがない。
【００１８】
第２の実施形態
図４〜図６を参照して、第２の実施形態の遊戯台について説明する。図４は、第２の実施形態の遊戯台を示す正面図であり、図５は、図４の遊戯台の前カバー体を開放した状態を示す簡略斜視図であり、図６は、図４の遊戯台において、遊戯コインを計数する計数手段及びその近傍を示す部分拡大断面図である。
【００１９】
図４及び図５において、この第２の実施形態では遊戯台としてのスロット台に適用されており、図示のスロット台は、遊戯台本体としてのスロット台本体１を備え、このスロット台本体１の前面には、従来のスロット台と同様に、その上部に回転リール１１が設けられ、その下部に遊戯コインが貯まるコイン皿１５が設けられ、その中間部にコイン投入口１２、リール回転レバー１３及びリール停止ボタン１４が設けられている。このスロット台本体１の前面には、更に、交換用コイン投入口１６と、計数表示手段を構成する計数表示板６と、レシート取出し口７と、景品交換用ボタン８と台表示ランプ１０が設けられ、またスロット台本体１の前カバー体３１の裏側には、計数機１８及び表示印字機１９が設けられている。
【００２０】
このスロット台では、交換用コイン投入口１６を通してスロットコイン３３が投入され、交換用コイン投入口１６を通して投入されたスロットコイン３３は、パチンコ台の場合と同様に、計数通路１７を通して流れ、計数機１８は計数通路１７を通して流れるスロットコイン３３の枚数を計数する。計数表示板６は計数機１８により計数したスロットコイン３３の枚数を表示し、表示印字機１９は計数表示板６に表示された個数をレシートに印字出力し、かく印字されたレシートが取出し口７を通してスロット台本体１の前面側に排出される。景品交換用ボタン８、カウンタ用ボタン９及び台表示ランプ１０は、パチンコ台のものと実質上同一のもので、同一の機能を有する。
【００２１】
このスロット台において、スロットコインを景品と交換したい場合には、上述したと同様に、スロットコイン３３を交換用コイン投入口１６から投入した後、景品交換用ボタン８を押圧操作すればよい。交換用コイン投入口１６からスロットコイン３３を投入すると、投入されたスロットコイン３３は、計数通路１７を通してコイン払いボックス２２（スロット台本体１内に装備されている）に流れて貯えられ、計数通路１７を通して流れる間に、計数機１８はそこを流れるスロットコイン３３の個数を計数し、その計数個数が計数表示板６に表示される。
【００２２】
従って、遊戯客は、計数表示板６に表示された個数を確認しながらスロットコイン３３を投入することによって、所定必要数の個数のスロットコイン３３を交換用コイン投入口１６を通して投入することができる。その後、景品交換用ボタン８を押圧操作すると、表示印字機１９が計数表示板６に表示された個数をレシートに出力するとともに、台表示ランプ１０が点灯し、点灯によりパチンコ店の店員に景品交換を希望する旨を伝えることができ、出力されたレシートを店員に渡すことにより、遊戯（スロット）を継続しながら景品と交換することができる。
【００２３】
また、スロット台の様子を見ながらスロットコイン３３を交換する場合、遊戯客は、遊戯を継続しながらスロットコイン３３を交換用コイン投入口１６から少しずつ投入すればよい。交換用コイン投入口１６から投入されたスロットコイン３３は、上述したと同様に、計数通路１７を通してコイン払いボックス２２に流れ、計数通路１７を通して流れる間に、計数機１８はスロットコイン３３の枚数を計数し、その個数が計数表示板６に表示される。
【００２４】
このようにして計数機１８が交換を希望する枚数を計数すると、遊戯者はカウンタ用ボタン９を押圧操作する。かくすると、表示印字機１９が計数表示板６に表示された個数をレシートに出力し、遊戯の終了後にこのレシートを景品カウンタに持って行き、所望の景品と交換することができる。尚、このときにも、台表示ランプ１０は点灯することがなく、店員を煩わすことがない。
【００２５】
このようなパチンコ台（又はスロット台）の設置は、図７に示すように、設置設備体４２の両側に所定方向に並べて設置される。このように設置する場合、パチンコ台（又はスロット台）の各列に対応して景品交換用のコース表示ランプ２１を設けるのが好ましい。このコース表示ランプ２１は、この列に設置されたパチンコ台（又はスロット台）の台表示ランプ１０と電気的に接続され、特定の列のいずれかのパチンコ台（又はスロット台）の台表示ランプ１０が点灯すると、この特定の列に対応するコース表示ランプ２１が点灯する。このようなコース表示ランプ２１の点灯によって、店員はどの列のパチンコ台（又はスロット台）の台表示ランプ１０が点灯しているかを容易に知ることができ、遊戯客の景品交換の要望に迅速に対応することができる。このコース表示ランプ２１は適宜の形態のランプでよく、例えばコーヒーカップ形状のランプを用いることができ、景品交換と分かり易い色、例えば青色のものを用いることができる。
【００２６】
第３の実施形態
次に、図８を参照して、第３の実施形態の遊戯台を説明する。図８は、第３の実施形態の遊戯台を示す正面図ある。
図８において、この第３の実施形態では遊戯台としてのパチンコ台に適用されており、このパチンコ台本体１の前面には、玉投入口５と、計数表示板６と、レシート取出し口７と、景品交換用ボタン８と、カウンタ用ボタン９と、台表示ランプ１０が設けられている。
【００２７】
この第３の実施形態では、玉投入口５、レシート取出し口７及び台表示ランプ１０は、第１の実施形態と同様の部位に設けられているが、景品交換用ボタン８、カウンタ用ボタン９及び計数表示板６が、パチンコ玉を収容する上皿２の前面に設けられており、このように設けることによって、遊戯客は、遊戯を継続しながら計数表示板６の内容を容易に見ることができ、また景品交換用ボタン８及びカウンタ用ボタン９を容易に操作することができる。これらボタン８，９の誤操作を防止するために、上皿２の前面の中央部に計数表示板６を配置し、その片側（例えば左側）に景品交換用ボタン８を設置し、その他側（例えば右側）にカウンタ用ボタン９を配置するのが望ましい。第３の実施形態の遊戯台（パチンコ台）のその他の構成は、上述した第１の実施形態と実質上同一である。
この第３の実施形態においては、その基本的構成が上述した第１の実施形態と実質上同一であるので、第１の実施形態と同様の作用効果が達成される。
【００２８】
第４の実施形態
次に、図９を参照して、第４の実施形態の遊戯台を説明する。図９は、第４の実施形態の遊戯台を示す正面図である。
図９において、この第４の実施形態でも遊戯台としてのパチンコ台又はスロット台（図示せず）に適用されており、各パチンコ台又はスロット台本体１の側部に補助カウンタ装置３６が付設され、この補助カウンタ装置３６の前面に、玉投入口５と、計数表示板６と、レシート取出し口７と、景品交換用ボタン８と、カウンタ用ボタン９と、台表示ランプ１０が設けられ、更に、この補助カウンタ装置３６の内部に、図示していないが、計数機及び表示印字機が設けられている。このように玉投入口５、計数表示板６及び景品交換用ボタン８等を補助カウンタ装置３６に設けることによって、パチンコ台又はスロット台本体１に変更、修正等を施すことなく、遊戯を継続しながらパチンコ玉又はスロットコインを交換するための構成を設けることができる。
【００２９】
以上、本発明に従う遊戯台の各種実施形態について説明したが、本発明はかかる実施形態に限定されるものではなく、本発明の範囲を逸脱することなく種々の変形、修正が可能である。
【００３０】
【発明の効果】
本発明の請求項１の遊戯台によれば、遊戯客は遊戯をしながら遊戯玉又は遊戯コインを投入口から投入することによって、例えばタバコ等の景品の交換に必要な個数を計数することができる。そして、景品交換用ボタンを操作して遊戯玉又は遊戯コインの個数を出力するとともに表示ランプを点灯させる。表示ランプが点灯すると、店員は表示ランプの点灯によって、遊戯客が景品交換を希望していることを知ることができ、この店員は、遊戯客からの出力物を受け取り、景品交換カウンタにて景品と交換して遊戯客にわたすことにより、遊戯客は遊戯を休止することなく景品と交換することができる。
【００３１】
また、景品交換用ボタンとは別個のカウンタボタンを操作すると、表示ランプが点灯されることなく、出力手段は表示手段に表示された個数を出力する。従って、遊戯客は、遊戯をしながら最終的に交換しようとする個数を予め計数して出力することができ、このように出力することによって、遊戯の限度を知りながら遊戯を楽しむことができる。
【００３２】
また、本発明の請求項２の遊戯台によれば、パチンコ台、スロット台に好都合に適用することができる。
【図面の簡単な説明】
【図１】本発明に従う遊戯台の第１の実施形態を示す正面図である。
【図２】図１の遊戯台の前カバー体を開放した状態を示す簡略斜視図である。
【図３】図１の遊戯台において、遊戯玉を計数する計数手段及びその近傍を示す部分拡大断面図である。
【図４】本発明に従う遊戯台の第２の実施形態を示す正面図である。
【図５】図４の遊戯台の前カバー体を開放した状態を示す簡略斜視図である。
【図６】図４の遊戯台において、遊戯コインを計数する計数手段及びその近傍を示す部分拡大断面図である。
【図７】複数台の遊戯台を設置した例を示す簡略斜視図である。
【図８】本発明に従う遊戯台の第３の実施形態を示す正面図である。
【図９】本発明に従う遊戯台の第４の実施形態を示す正面図である。
【符号の説明】
１　パチンコ台本体（スロット台本体）
５　　玉投入口
６　　計数表示板
７　　レシート取出し口
８　　景品交換用ボタン
９　　カウンタ用ボタン
１０　台表示ランプ
１６　コイン投入口
１８　計数機
１９　表示印字機
２１　コース表示ランプ
３２　パチンコ玉
３３　　スロットコイン
３６　補助カウンタ装置